(57)【要約】【課題】複数通信方式を利用可能な移動端末でありながらシングル携帯端末として使用中に設定された通信方式以外のサービスエリアに位置したときの消費電流の低減を可能とする移動端末を提供する。【解決手段】２つの通信方式を利用可能な移動端末であって,２つの通信方式のそれぞれに対応する通信処理部と，前記２つの通信処理部の何れかに設定する通信手段切替部と，前記設定されている通信方式の切り替えを制御する通信切替選択部を有し，前記通信切替選択部は，移動端末位置が設定されている通信方式の圏外であるとき，他方の通信方式のサービスエリアであるかのサーチを行い，前記他方の通信方式であれば,位置登録処理を行なわずに，前記他方の通信方式の基地局からの報知情報監視を定期的に行う監視するモードに設定する。【選択図】図１０
2008136131.tif 000002
【特許請求の範囲】
【請求項１】
２つの通信方式を利用可能な移動端末であって,
２つの通信方式のそれぞれに対応する通信処理部と，
前記２つの通信処理部の何れかに設定する通信手段切替部と，
前記設定されている通信方式の切り替えを制御する通信切替選択部を有し，
前記通信切替選択部は，移動端末位置が設定されている通信方式の圏外であるとき，
他方の通信方式のサービスエリアであるかのサーチを行い，前記他方の通信方式であれば,位置登録処理を行なわずに，前記他方の通信方式の基地局からの報知情報監視を定期的に行う監視するモードに設定する，
ことを特徴とする移動端末。
【請求項２】
請求項１において， 
前記通信切替選択部は，前記報知情報監視を定期的に行う監視するモードにおいて前記報知情報により,前記設定されている通信方式の圏内であることを検知したときに，前記設定されている通信方式の通信処理部により,基地局に対して位置登録を行うことを特徴とする移動端末。
【請求項３】
請求項１において，
他方の通信方式のサービスエリアであるかのサーチを行い，前記他方の通信方式であるとき, 当該通信方式をユーザーに可視可能に表示することを特徴とする移動端末。
【請求項４】
請求項１乃至３の何れかにおいて，
更にＧＰＳ機能処理部と，
通信方式サービスエリア情報を保存したエリア情報部を有し，
前記通信切替選択部は，移動端末位置が設定されている通信方式の圏外であるとき，
前記ＧＰＳ機能処理部により検知される移動端末位置と前記エリア情報部に保存されている通信方式サービスエリア情報を比較して，他方の通信方式のサービスエリアであれば,位置登録処理を行なわずに，前記他方の通信方式の基地局からの報知情報監視を定期的に行う監視するモードに設定する，
ことを特徴とする移動端末。
【請求項５】
請求項４において，
エリア情報部から得られる情報より現エリアの通信方式に用いられている周波数帯を特定し，エリアに無い周波数帯のサーチを行なわないことを特徴とする移動端末。
【発明の詳細な説明】
【技術分野】
【０００１】
本発明は，２つの通信方式を利用可能な移動端末に関する。特に，例えば，ＷＣＤＭＡ通信方式とＧＳＭ通信方式の２つの通信方式を利用可能で，且つ消費電力を低減可能な移動端末に関する。
【背景技術】
【０００２】
移動体通信方式として，主要な技術である日本から提案されたＷＣＤＭＡ（Wideband-Code Division Multiple Access）通信方式と欧州で開発されたデジタル携帯電話の標準規格であるＧＳＭ(Global System for Mobile Communications）通信方式がある。
【０００３】
そして，これらの２つの通信方式に対応した複数通信方式を利用可能な移動端末が開発され，市場に提供されている。
【０００４】
２つの通信方式に対応した通信機能を有する移動端末は，図１に示す移動端末に表示されるようにユーザー設定により，以下の３つのモード設定が可能である。
【０００５】
１．“自動選択モード”
２. “ＷＣＤＭＡモード”
３. “ＧＳＭモード“
複合移動端末でありながらシングル移動端末として使用中に，サービスエリア外となった場合の移動端末動作を工夫することで，電流消費を抑えることを可能としている。
【０００６】
また，ＧＰＳ機能を有する場合は，現在の位置情報に基づき適切なサービス通信方式を割り出し，適宜通信方式を選択可能な機能を持つことで電流消費を抑えることを可能としている。
【０００７】
“自動選択モード”は，待ち受け中にＷＣＤＭＡ基地局とＧＳＭ基地局からの受信状態を比較して，適宜自動で通信方式セルを選択するモードである。
【０００８】
また，“ＷＣＤＭＡモード”は，ＷＣＤＭＡ通信方式のみに対応するモードである。すなわち，“ＷＣＤＭＡモード”が設定された場合，ＷＣＤＭＡ方式のみに対応するシングル通信移動端末と同等な端末になる。
【０００９】
“ＧＳＭモード“は，ＧＳＭ通信方式のみ対応するモードとなる。すなわち，“ＧＳＭモード“が設定された場合，ＧＳＭ方式のみ対応するシングル通信移動端末と同等な端末となる。
【００１０】
基本的に，“自動選択モード“を選択しておけば，移動端末が自動で環境に応じた通信方式選択を行なうが，必要以上に切り替え操作が行なわれた場合，消費電流が増大することから消費電流を抑えるという点で“ＷＣＤＭＡモード”又は“ＧＳＭモード“のシングルモードで使用することが推奨されている。
【００１１】
例えば，ＷＣＤＭＡ網しかない環境においては，“ＷＣＤＭＡモード”に選択しておけば，ＷＣＤＭＡのみで待ち受け動作をおこない，ＧＳＭ網をサーチすることが無く電流消費を低減することが可能である。
【００１２】
図２に，図１に対応するＷＣＤＭＡとＧＳＭ方式の２つの通信方式に対応する移動端末の機能ブロック図を示す。
【００１３】
“自動選択モード“に選択された移動端末では，使用者により通信手段切替部３０２を通してＷＣＤＭＡまたはＧＳＭ方式のいずれかの通信方式を設定する。ＷＣＤＭＡ通信方式に設定されると，通信手段選択部３０３がＷＣＤＭＡ通信方式を選択し，通信手段切替部３０２を介して，ＷＣＤＭＡ無線部（ＲＦ）１０１とＷＣＤＭＡベースバンド処理部１０２の起動を行い，ＷＣＤＭＡ用アンテナ４００を用いて，ＷＣＤＭＡ信号の送受信又は待ち受け処理を行なう。
【００１４】
移動端末がＷＣＤＭＡ通信方式を用いて待ち受け状態（着信待ち状態）を想定すると，ＷＣＤＭＡ通信処理部１００は，制御部３００のタイマー監視部３０１のタイマー出力に基づき定期的（例えば，２秒毎）に数ｍｓだけ着信情報有無を確認する処理を行なうが，それ以外の区間はスリープ状態となる。
【００１５】
その間に制御部３００は，必要であればＧＳＭのレベルを測定するためにＧＳＭ通信処理部２００のＧＳＭ無線部（ＲＦ）２０１及びＧＳＭベースバンド処理部２０２を起動させてＧＳＭレベル測定を行なう。
【００１６】
通信手段選択部３０３では，各通信方式から得られた受信レベルを比較し，受信レベルの高い方を選択する（リセレクション）動作を行なうことがある。
【００１７】
上記の例の場合，ＷＣＤＭＡ方式で待ち受け処理中に測定されたＷＣＤＭＡ受信レベルとＷＣＤＭＡ通信処理部１００がスリープ状態のときに，ＧＳＭ通信処理部２００を起動して測定されたＧＳＭ受信レベルを比較して，ＧＳＭの方がＷＣＤＭＡより受信レベルが高ければ，ＧＳＭで待ち受け状態に移るリセレクション動作を行なって，通信方式を自動的に切り替える構成である。
【００１８】
本発明で適用されるモードは，“自動選択モード“では無く，“ＷＣＤＭＡモード”又は“ＧＳＭモード”に設定された場合に適用される。
【００１９】
すなわち,図２において，“ＷＣＤＭＡモード”が選択された場合，通信方式は，シングルモードとしてＷＣＤＭＡが選択されているため，通信手段切替部３０２からは，ＷＣＤＭＡ通信処理部１００のみが起動され，ＧＳＭ通信処理部２００は起動されない。
【００２０】
移動端末がＷＣＤＭＡ通信網エリアにいる場合は，当然にＷＣＤＭＡ待ち受け処理を行う。
【００２１】
図３は，ＷＣＤＭＡモードに設定された移動端末ＭＳがＷＣＤＭＡ通信網エリアで待ち受け処理をしている図を示す。移動端末ＭＳにＷＣＤＭＡモードでの受信圏内であることが表示される。
【００２２】
“ＧＳＭモード”に設定された場合は，“ＷＣＤＭＡモード“に設定された場合の逆であり，図４に示すように，ＧＳＭモードに設定された移動端末ＭＳが，ＧＳＭ通信網エリアで待ち受け処理をしている。移動端末ＭＳにＧＳＭモードでの受信圏内であることが表示される。
【００２３】
図５及び図６は，それぞれＷＣＤＭＡ及びＧＳＭの位置登録シーケンスの例を示す図である。図５，図６において，いずれも対応するＷＣＤＭＡ,ＧＳＭ網の基地局から報知信号を受け（ステップＳ１），移動端末ＭＳはチャネル要求信号を該当の基地局に送る（ステップＳ２）。
【００２４】
これに応答して基地局からのチャネル割り当て信号を移動端末ＭＳが受ける（ステップＳ３）。
【００２５】
ついで，移動端末ＭＳから位置登録要求が送られる（ステップＳ４）。
【００２６】
これに対し，基地局側から認証要求，秘匿要求の手順（ステップＳ５）が行われ，位置登録が完了し（ステップＳ６），移動端末ＭＳに対してチャネルが与えられる（ステップＳ７）。
【００２７】
さらに，上記図５，図６のフローにおける位置登録完了後の移動端末ＭＳは，待ち受け処理状態となり，定期的にページング（Paging）受信状態に移行する。ページング受信状態では，自局宛のページングが無いかをネットワークパラメータに基づき定期的（ＷＣＤＭＡの場合，例えば，２秒周期）に監視する。定期的にページングを監視する以外の区間は，移動端末ＭＳは，パワーセーブ状態となる。
【００２８】
ここで，複数の通信システムを利用可能とする携帯通信端末における省電力化に関する発明が許文献１に記載されている。
【００２９】
特許文献１に記載の発明は，“自動選択モード”での省電力化を実現するものであり，頻繁な通信方式の切替えが行われたときに固定モードに移行させることにより端末の電池の消耗を抑制するものである。
【特許文献１】特開２００５−２２３７１１号公報
【発明の開示】
【発明が解決しようとする課題】
【００３０】
上記した態様において，i．“ＧＳＭモード”で，ＷＣＤＭＡ網のみの環境で使用する場合，ii.“ＷＣＤＭＡモード”でＧＳＭ網のみの環境で使用する場合,それぞれにおいて，次のような問題がある。
【００３１】
上記i．の場合を例にとると，移動端末ＭＳは，“ＧＳＭモード”に設定されている為，ＷＣＤＭＡ網に位置しているにも関わらず，常にＧＳＭ網をサーチしようと試みる。結果として，ＧＳＭ網が見つからないため圏外となり，ＧＳＭ網をサーチが繰り返されることになる。
【００３２】
一般的に，待ち受け中よりも圏外中の方が，電流消費が多くなる傾向にあり，常に電流消費が多い状態で網サーチが繰り返されることになる。
【００３３】
逆に，ii.の“ＷＣＤＭＡモード”でＧＳＭ網のみの環境で使用する場合にも同じことが言える。
【００３４】
図７に,移動端末ＭＳが待ち受け状態時のフローチャートを示す。
【００３５】
待ち受け状態にいる移動端末ＭＳは，待ち受けセルの基地局からの報知情報を基に着信周期を定期的（例えば，２秒毎）に数ｍｓの間，着信の有無確認及び自セルレベル測定（ステップＳ１０）を行なう。着信が無ければ（ステップＳ１１，Ｎｏ），移動端末ＭＳは，次の着信周期までパワーセーブ状態（ステップＳ１２）に入る処理を繰り返す。
【００３６】
一方，移動端末が圏外状態の場合のフローを図８に示す。図８において,圏外状態の場合，移動端末はパワーセーブ状態に入ること無く指定通信方式でのレベル測定（ステップＳ２０）を繰り返す。レベル測定において，レベルが検知されると（ステップＳ２１，Ｙｅｓ），待ち受け処理が行われる（ステップＳ２２）。
【００３７】
これにより，先に説明したように，基地局の通信モードと，移動端末ＭＳの通信方式設定が異なる場合，移動端末ＭＳが圏外にいる状態と同様に，移動端末ＭＳはパワーセーブすることなく指定の通信方式でのレベル測定を繰り返すことになり消費電力が大きくなる。
【００３８】
したがって，本発明は，複数通信方式を利用可能な移動端末でありながらシングル携帯端末として使用中に設定された通信方式以外のサービスエリアに位置したときの消費電流の低減を可能とする移動端末を提供することにある。
【課題を解決するための手段】
【００３９】
上記の課題を達成する本発明の第１の側面は，２つの通信方式を利用可能な移動端末であって,２つの通信方式のそれぞれに対応する通信処理部と，前記２つの通信処理部の何れかに設定する通信手段切替部と，前記設定されている通信方式の切り替えを制御する通信切替選択部を有し，前記通信切替選択部は，移動端末位置が設定されている通信方式の圏外であるとき，他方の通信方式のサービスエリアであるかのサーチを行い，前記他方の通信方式であれば,位置登録処理を行なわずに，前記他方の通信方式の基地局からの報知情報監視を定期的に行う監視するモードに設定することを特徴とする。
【００４０】
前記において，前記通信切替選択部は，前記報知情報監視を定期的に行う監視するモードにおいて前記報知情報により,前記設定されている通信方式の圏内であることを検知したときに，前記設定されている通信方式の通信処理部により,基地局に対して位置登録を行う。
【００４１】
これにより，通常の待ち受けでは，定期的に自局に対するページング監視を行なう処理や，セル変更が必要となる場合は，規定時間内にセル変更処理を行なう必要があるため定期的に補足ＧＳＭセルのレベル，周辺ＧＳＭのレベル，報知情報等を監視・更新する必要がある。しかし，擬似ＧＳＭ待ち受け中は，移動端末単独で擬似的に待ち受けしているため，通常待ち受けで必要なページング監視は不要であり，ＧＳＭセル情報の更新も通常待ち受けの周期よりも長く設定することが可能となる。
【００４２】
また，上記において，他方の通信方式のサービスエリアであるかのサーチを行い，前記他方の通信方式であるとき, 当該通信方式をユーザーに可視可能に表示するようにしてもよい。
【００４３】
さらに，他の方法としてＧＰＳ機能処理部と，通信方式サービスエリア情報を保存したエリア情報部を有し，前記通信切替選択部は，移動端末位置が設定されている通信方式の圏外であるとき，前記ＧＰＳ機能処理部により検知される移動端末位置と前記エリア情報部に保存されている通信方式サービスエリア情報を比較して，他方の通信方式のサービスエリアであれば,位置登録処理を行なわずに，前記他方の通信方式の基地局からの報知情報監視を定期的に行う監視するモードに設定する構成とする構成も可能である。
【００４４】
加えて、GPSから得られる位置情報とエリア情報部に記憶されている通信方式で使用されている周波数情報を比較して、使用されている周波数BANDのみ検索を行なうようにする。このことにより使用されてない周波数BANDのサーチを行なうことなく消費電流軽減が可能となる。
【００４５】
また、通信網から放置されている報知情報のカントリーコード及び事業者コードとエリア情報部に記憶されているサービスエリア情報を比較することにより、現エリアでの使用可能通信方式を特定することが可能である。
【００４６】
このことにより使用可能通信方式をユーザーに通知又は使用可能通信方式にて擬似的に待ち受けを行い消費電流軽減が可能となる。
【００４７】
上記の特徴により，複合移動端末でありながらシングル移動端末として使用中に，サービスエリア外となった場合の移動端末動作を工夫することで，電流消費を抑えることを可能としている。
【００４８】
また，ＧＰＳ機能を有する場合は，現在の位置情報に基づき適切なサービス通信方式を割り出し，適宜通信方式を選択可能な機能を持つことで電流消費を抑えることを可能としている。
【００４９】
そして，本発明の上記特徴によれば，電流消費の多い圏外状態となっていた移動端末を擬似待ち受けモードに移行させることで，移動端末のパワーセービング処理を可能として消費電流を抑えることが可能となる。
【００５０】
また，ユーザーに対して適切な通信方式に促すことやＧＰＳ機能と併用することで，適切な通信方式選択により電流消費を抑えることが可能となる。
【発明を実施するための最良の形態】
【００５１】
以下に図面に従い本発明の実施例について説明する。
【００５２】
本発明の特徴は，擬似ＧＳＭ待ち受け処理が設定されていることにある。
【００５３】
上記の問題点で前述したとおり，“ＷＣＤＭＡモード”でＧＳＭ網のみの環境で使用する場合，電流消費が多いＷＣＤＭＡ圏外状態となる。
【００５４】
擬似ＧＳＭ待ち受け処理は，“ＷＣＤＭＡモード”でＷＣＤＭＡ圏外状態となった後，ＧＳＭエリアサーチを行ない，ＧＳＭ網を補足した場合は，通常の位置登録処理を行なわずにＧＳＭ網のレベル，報知情報監視を定期的に行なう処理である。
【００５５】
擬似ＧＳＭ待ち受けに至るまでのシーケンスを図９に示す。すなわち，図９において，ＧＳＭ網を補足後，ＧＳＭ網に対してアクセスは行わず，移動端末ＭＳ単独でＧＳＭ網に対して擬似的に待ち受けを行なうことになる（処理工程Ｉ）。
【００５６】
また，擬似ＧＳＭ待ち受けに至るまでのフローチャートは図１０に示すようである。
【００５７】
なお，図９,図１０に示すフローは，制御部３００の通信選択部３０３に格納したファームウエアにより制御される。
【００５８】
図１０において，電源ＯＮ（ステップＳ３０）すると，ＷＣＤＭＡサーチを行う（ステップＳ３１）。ＷＣＤＭＡ網を補足できると（ステップＳ３２，Ｙｅｓ），ＷＣＤＭＡ通信処理部１００を停止し，ＷＣＤＭＡの基地局に位置登録を行う（ステップＳ３３）。
【００５９】
一方，ＷＣＤＭＡ網を補足できないときは（ステップＳ３２，Ｎｏ），ＧＳＭ通信処理部２００を起動してＧＳＭサーチを行ない（ステップＳ３４），ＧＳＭ網が補足できれば擬似ＧＳＭ待ち受けに移行する（ステップＳ３５）。
【００６０】
擬似ＧＳＭ待ち受け状態（ステップＳ３５）では，ユーザーに対する移動端末状態表示は圏外となるが，擬似的にＧＳＭ網を補足しているため通常の待ち受け動作と同じく，定期的にＧＳＭ報知情報を確認する以外はパワーセーブ処理が可能となる。
【００６１】
通常の待ち受けでは，定期的に自局に対するページング監視を行なう処理や，セル変更が必要となる場合は，規定時間内にセル変更処理を行なう必要があるため定期的に補足ＧＳＭセルのレベル，周辺ＧＳＭのレベル，報知情報等を監視・更新する必要がある。
【００６２】
しかし，擬似ＧＳＭ待ち受け中は，移動端末単独で擬似的に待ち受けしているため，通常待ち受けで必要なページング監視は不要であり，ＧＳＭセル情報の更新も通常待ち受けの周期よりも長く設定することが可能となる。
【００６３】
これを図７により説明すると，移動端末ＭＳは，待ち受け状態（ステップＳ１０）にあるために報知情報で指定された待ち受け周期で着信情報の有無を確認する必要があったが図９に示したように，擬似待ち受けを行なっている場合，着信情報がＧＳＭ網から送信されることは無く，報知情報に基づいた周期で待ち受け処理を行なう必要は無い。
【００６４】
図７に示す例では，報知情報で指定される着信周期は２秒であるため２秒毎にパワーセーブ状態から復帰して着信有無を確認する必要があったが，擬似待ち受けの場合は２秒以上（例えば，１０秒）と長く設定してパワーセーブを図ることが可能となる。
結果として，移動端末ＭＳの消費電流を抑えることが可能となる。
【００６５】
また，擬似ＧＳＭ待ち受け中となった場合は，ＧＳＭ網に位置していることをユーザーに通知して，ネットワークモード変更を促すことが可能となる。さらに，ユーザーが擬似ＧＳＭ待ち受け中にネットワークモードを変更した場合，既にＧＳＭ網の補足は終えているためＧＳＭサーチを省略したＧＳＭ網への位置登録処理を行い，移動端末ＭＳは迅速に圏内となり，ＧＳＭサーチを省力することで消費電流を抑えることも可能となる。
【００６６】
環境によっては，ＧＳＭ網とＷＣＤＭＡ網が同時にサービスされているエリアがある。図１１は，“ＷＣＤＭＡモード”で擬似ＧＳＭ待ち受け中の移動端末が報知情報周辺セルにＧＳＭが含まれているエリアに位置したときを示している。
【００６７】
ＷＣＤＭＡモードに設定中，擬似ＧＳＭ待ち受け状態で，定期的にＧＳＭ報知情報を監視した結果，周辺セルにＷＣＤＭＡが含まれていた場合，迅速にＷＣＤＭＡ網に位置登録処理を行い，正規のＷＣＤＭＡ待ち受け状態へ移行する。
【００６８】
図１２は,図１１に対応する移動端末の処理フローチャートを示す図である。
【００６９】
すなわち,擬似ＧＳＭ待ち受け状態でパワーセーブされているとき（ステップＳ４０）,タイマー割り込みが発生すると（ステップＳ４０ａ），ＧＳＭ報知情報を更新して（ステップＳ４１），新たなＧＳＭ報知情報を取得する（ステップＳ４１）。
【００７０】
更新されるＧＳＭ報知情報２に周辺セルにＷＣＤＭＡ網があることが示されている場合（ステップＳ４２，Ｙｅｓ），ＷＣＤＭＡ網に正式に位置登録処理を行う（ステップＳ４３）。
【００７１】
したがって, 本発明に従うＧＳＭ擬似待ち受けを行わない場合，図１３に示すようにＷＣＤＭＡへ切り替え処理が行なわれたとき（ステップＳ５０），ＷＣＤＭＡ網があるかどうかは未知であるので,ＷＣＤＭＡサーチを行う（ステップＳ５１）必要であった。これに対し，上記のように本発明では, ＷＣＤＭＡサーチを行う必要がないので,消費電流の低減を図ることが可能である。
【００７２】
図１４は,本発明の他の実施例に従う移動端末の構成例である。この実施例では,更にＧＰＳ（Global Positioning System）機能処理部５００を有している。ＧＰＳの位置情報から利用可能なサービスエリアを選択することが可能となる。
【００７３】
図１４において,ＧＰＳ用アンテナ４０２，ＧＰＳ処理部５００及びエリア情報部３０４を有している。
【００７４】
図１５は,図１４におけるＧＰＳ用アンテナ４０２，ＧＰＳ処理部５００及びエリア情報部３０４の処理フローである。
【００７５】
ＣＤＭＡモードで電源ＯＮされると（ステップＳ５０）,移動端末ＭＳは,ＷＣＤＭＡ網をサーチ（ステップＳ６１）する。かかるサーチによりＷＣＤＭＡ網を補足できなかった場合（ステップＳ６２，Ｎｏ），制御部３００は，ＧＰＳ処理部５００で得られたＧＰＳ情報（ステップＳ６４）と,エリア情報３０４に保存された通信方式サービスエリア情報を比較してＧＳＭエリアかどうかの判断を行なう（ステップＳ６５）。ＧＳＭであれば（ステップＳ６５，Ｙｅｓ），ＧＳＭをサーチし（ステップＳ６６），擬似ＧＳＭ待ち受けに移行する（ステップＳ６７）。
【００７６】
以上の実施例説明において，ＷＣＤＭＡモードに設定された例を中心に述べたが，
ＧＳＭモードに設定された場合も逆の操作で同様の効果が可能である。
【００７７】
上記のとおり，本発明は，ＷＣＤＭＡ方式とＧＳＭ方式の２つの通信方式を有する複数通信方式に対応する移動端末において，シングル動作で使用することが可能な端末をサービスエリア外で使用する場合，例えば，日本のようなＧＳＭがサービスされていない環境において，ＧＳＭモードで使用している移動端末に対して，擬似ＷＣＤ    ＭＡ待ち受けを可能とすることが可能である。
【００７８】
また，ＧＰＳ機能を併用することが可能であれば，日本の位置情報からＷＣＤＭＡのサービスエリアであることを選択することが可能である。
【００７９】
（付記１）
２つの通信方式を利用可能な移動端末であって,
２つの通信方式のそれぞれに対応する通信処理部と，
前記２つの通信処理部の何れかに設定する通信手段切替部と，
前記設定されている通信方式の切り替えを制御する通信切替選択部を有し，
前記通信切替選択部は，移動端末位置が設定されている通信方式の圏外であるとき，
他方の通信方式のサービスエリアであるかのサーチを行い，前記他方の通信方式であれば,位置登録処理を行なわずに，前記他方の通信方式の基地局からの報知情報監視を定期的に行う監視するモードに設定する，
ことを特徴とする移動端末。
【００８０】
（付記２）
付記１において， 
前記通信切替選択部は，前記報知情報監視を定期的に行う監視するモードにおいて前記報知情報により,前記設定されている通信方式の圏内であることを検知したときに，前記設定されている通信方式の通信処理部により,基地局に対して位置登録を行うことを特徴とする移動端末。
【００８１】
（付記３）
付記１において，
他方の通信方式のサービスエリアであるかのサーチを行い，前記他方の通信方式であるとき, 当該通信方式をユーザーに可視可能に表示することを特徴とする移動端末。            
【００８２】
（付記４）
付記１乃至３の何れかにおいて，
更にＧＰＳ機能処理部と，
通信方式サービスエリア情報を保存したエリア情報部を有し，
前記通信切替選択部は，移動端末位置が設定されている通信方式の圏外であるとき，
前記ＧＰＳ機能処理部により検知される移動端末位置と前記エリア情報部に保存されている通信方式サービスエリア情報を比較して，他方の通信方式のサービスエリアであれば,位置登録処理を行なわずに，前記他方の通信方式の基地局からの報知情報監視を定期的に行う監視するモードに設定する，
ことを特徴とする移動端末。                        
【００８３】
（付記５）
付記４において，
エリア情報部から得られる情報より現エリアの通信方式に用いられている周波数帯を特定し、エリアに無い周波数帯のサーチを行なわないことを特徴とする移動端末。
【図面の簡単な説明】
【００８４】
【図１】２つの通信方式に対応した通信機能を有する移動端末を示す図である。
【図２】図１に対応するＷＣＤＭＡとＧＳＭ方式の２つの通信方式に対応する移動端末の機能ブロック図を示す。
【図３】ＷＣＤＭＡモードに設定された移動端末ＭＳが，ＷＣＤＭＡ通信網エリアで待ち受け処理をしている図を示す。
【図４】ＧＳＭモードに設定された移動端末ＭＳが，ＧＳＭ通信網エリアで待ち受け処理をしている図を示す。
【図５】ＷＣＤＭＡ及びＧＳＭ位置登録シーケンスの例を示す図である。
【図６】ＧＳＭの位置登録シーケンスの例を示す図である。
【図７】移動端末ＭＳが待ち受け状態時のフローチャートを示す図である。
【図８】移動端末が圏外状態の場合のフローを示す図である。
【図９】擬似ＧＳＭ待ち受けに至るまでのシーケンスを示す図である。
【図１０】擬似ＧＳＭ待ち受けに至るまでのフローチャートを示す図である。
【図１１】“ＷＣＤＭＡモード”で擬似ＧＳＭ待ち受け中の移動端末が報知情報周辺セルにＧＳＭが含まれているエリアに位置したときを示鈴である。
【図１２】図１１に対応する移動端末の処理フローチャートを示す図である。
【図１３】本発明に従うＧＳＭ擬似待ち受けを行わない場合，ＷＣＤＭＡへ切り替え処理が行なわれたときの処理を説明する図である。
【図１４】本発明の他の実施例に従う移動端末の構成例を示す図である。
【図１５】図１４におけるＧＰＳ用アンテナ４０２，ＧＰＳ処理部５００及びエリア情報３０４の処理フローである。
【符号の説明】
【００８５】
１００  ＷＣＤＭＡ通信処理部
１０１  ＷＣＤＭＡ−無線部
１０２  ＷＣＤＭＡベースバンド処理部
２００  ＧＳＭ通信処理部
２０１  ＧＳＭ−無線部
２０２  ＧＳＭベースバンド処理部
３００  制御部
３０１  タイマー監視部
３０２  通信手段切り替え部
３０３  通信手段選択部
３０４  エリア情報
４００  ＷＣＤＭＡアンテナ
４０１  ＧＳＭ用アンテナ
４０２  ＧＰＳ用アンテナ
５００  ＧＰＳ処理部
【図１】
2008136131.tif 000003
【図２】
2008136131.tif 000004
【図３】
2008136131.tif 000005
【図４】
2008136131.tif 000006
【図５】
2008136131.tif 000007
【図６】
2008136131.tif 000008
【図７】
2008136131.tif 000009
【図８】
2008136131.tif 000010
【図９】
2008136131.tif 000011
【図１０】
2008136131.tif 000012
【図１１】
2008136131.tif 000013
【図１２】
2008136131.tif 000014
【図１３】
2008136131.tif 000015
【図１４】
2008136131.tif 000016
【図１５】
2008136131.tif 000017